(57)【要約】【課題】バックアップした画像の内容をできるだけ詳細かつ迅速に表示できるようにする。【解決手段】Ｓ４では、パソコン１００は、デジタルカメラ２００から画像を受信し、Ｓ５では、受信した画像をハードディスク装置１４に記憶する。これにより、デジタルカメラ２００の画像のバックアップが完了する。Ｓ６では、パソコン１００は、ハードディスク装置１４に記憶された画像の画素サイズを、デジタルカメラ２００の画像表示装置１１０の表示画素サイズに適合したサイズの画像である表示用画像に変換する。Ｓ７では、パソコン１００は、表示用画像をデジタルカメラ２００に送信する。Ｓ８では、デジタルカメラ２００は表示用画像を受信し、Ｓ９では、表示用画像を記憶媒体４０に記憶する。Ｓ１０では、Ｓ３で送信した画像を記憶媒体４０から削除する。【選択図】  図４
2006157517.tif 000002
【特許請求の範囲】
【請求項１】
画像を撮影する撮像部と、画像を記憶する第１記憶部と、画像の記憶、消去及び通信を制御する第１制御部と、データ通信を行う第１通信部と、画像を表示する表示装置とを有する撮像装置と、
前記撮像装置から画像を受信する第２通信部と、
前記第２通信部の受信した画像を記憶する第２記憶部と、
前記第２記憶部の受信した画像を前記撮像装置の表示装置の表示サイズに適合したサイズの画像である表示用画像に変換する変換部と、
を備え、
前記第２制御部は前記表示用画像を前記撮像装置に送信するよう前記第２通信部を制御し、
前記第１通信部は前記表示用画像を受信し、
前記第１制御部は前記第１通信部が前記表示用画像を受信した場合、前記送信した画像を消去しかつ前記受信した表示用画像を記憶するよう前記第１記憶部を制御する画像記憶システム。
【請求項２】
前記撮像装置を認証する認証部をさらに備え、
前記第１制御部は前記認証部により認証された場合、前記画像を前記第２通信部に送信するよう第１通信部を制御する請求項１に記載の画像記憶システム。
【請求項３】
前記第２制御部は前記第２記憶部に記憶された画像を特定する画像特定情報を前記第１通信部に送信するよう前記第２通信部を制御し、
前記第１通信部は前記画像特定情報を受信し、
前記第１制御部は前記表示用画像と前記表示用画像の変換元となった画像の画像特定情報とを対応づけて記憶するよう前記第１記憶部を制御する請求項１又は２に記載の画像記憶システム。
【請求項４】
画像をプリントするプリント部をさらに備え、
前記撮像装置は所望の画像のプリント注文を前記表示用画像の指定により受け付けるプリント注文部をさらに有し、
前記第１制御部は前記指定された表示用画像に対応する画像特定情報を前記プリント部に送信するよう前記第１通信部を制御し、
前記プリント部は前記画像特定情報を受信し、前記受信した画像特定情報で特定される画像であるプリント用画像を送信させる依頼を前記第２通信部に送信し、
前記第２制御部は前記第２通信部が前記依頼を受信したことに応じて前記プリント用画像を前記プリント部に送信するよう前記第２通信部を制御し、
前記プリント部は前記プリント用画像を受信してプリントする請求項３に記載の画像記憶システム。
【請求項５】
画像を撮影する撮像部と、画像を表示する表示装置と、画像を前記表示装置の表示サイズに適合したサイズの画像である表示用画像に変換する変換部と、画像を記憶する第１記憶部と、画像を送信する第１通信部と、画像の記憶、消去及び通信を制御する制御部とを有する撮像装置と、
前記撮像装置から画像を受信する第２通信部と、
前記受信した画像を記憶する第２記憶部と、
を備え、
前記第１制御部は前記表示用画像を記憶しかつ前記送信した画像を消去するよう前記第１記憶部を制御する画像記憶システム。
【請求項６】
前記撮像装置を認証する認証部をさらに備え、
前記第１制御部は前記認証部により認証された場合、前記画像を前記第２通信部に送信するよう第１通信部を制御する請求項５に記載の画像記憶システム。
【請求項７】
前記第２制御部は前記第２記憶部に記憶された画像を特定する画像特定情報を前記第１通信部に送信するよう前記第２通信部を制御し、
前記第１通信部は前記画像特定情報を受信し、
前記第１制御部は前記表示用画像と前記表示用画像の変換元となった画像の画像特定情報とを対応づけて記憶するよう前記第１記憶部を制御する請求項５又は６に記載の画像記憶システム。
【請求項８】
画像をプリントするプリント部をさらに備え、
前記撮像装置は所望の画像のプリント注文を前記表示用画像の指定により受け付けるプリント注文部をさらに有し、
前記第１制御部は前記指定された表示用画像に対応する画像特定情報を前記プリント部に送信するよう前記第１通信部を制御し、
前記プリント部は前記画像特定情報を受信し、前記受信した画像特定情報で特定される画像であるプリント用画像を送信させる依頼を前記第２通信部に送信し、
前記第２制御部は前記第２通信部が前記依頼を受信したことに応じて前記プリント用画像を前記プリント部に送信するよう前記第２通信部を制御し、
前記プリント部は前記プリント用画像を受信してプリントする請求項７に記載の画像記憶システム。
【請求項９】
撮像装置から受信した画像を記憶するステップと、
前記画像を前記撮像装置の表示装置の表示サイズに適合したサイズの画像である表示用画像に変換するステップと、
前記画像を前記撮像装置から消去させかつ前記表示用画像を前記撮像装置に記憶させるステップと、
を含む画像記憶方法。
【請求項１０】
請求項９に記載のステップをコンピュータに実行させるためのプログラム。
【発明の詳細な説明】
【技術分野】
【０００１】
本発明は画像記憶システム、画像記憶方法及び画像記憶プログラムに係り、特に撮像装置の画像をバックアップする技術に関する。
【背景技術】
【０００２】
従来、画像を効率的に保存する技術が様々開発されている。例えば、特許文献１によると、デジタルカメラ１で撮影した画像データを画像サーバへ転送し、第三者へのアクセス権を設定し保存部へ記憶する。さらに、ネットワーク経由でプリント受付サーバに対し、画像データのプリントを依頼する。また、デジタルカメラは、画像サーバに転送された画像データを削除する場合、サムネイルとしてデジタルカメラに保存する。
【特許文献１】特開２００３−７８７９８号公報
【発明の開示】
【発明が解決しようとする課題】
【０００３】
上述の特許文献１の技術では、サムネイル画像をデジタルカメラに戻すため、デジタルカメラではサムネイル画像しか閲覧できず、デジタルカメラで画像の詳細な確認をすることが困難である。このような問題に対応するためには、モニタに画像を表示させるごとに記録媒体から画素数の大きなオリジナル画像を読み出し、その画像をモニタの表示サイズに適した画素数になるように間引き処理や補間処理を行うことが考えられる。しかし、この場合、大きなデータ量のアクセス時間が長くなるとともに、間引き処理等の処理時間も必要となるため、モニタに画像を表示するまでに時間がかかり、特に連写した画像のコマ送り表示などには不便である。本発明はこのような問題点に鑑みてなされたもので、バックアップした画像の内容をできるだけ詳細かつ迅速に表示できるようにすることを目的とする。
【課題を解決するための手段】
【０００４】
上述の課題を解決するため、本願発明に係る画像記憶システムは、画像を撮影する撮像部と、画像を記憶する第１記憶部と、画像の記憶、消去及び通信を制御する第１制御部と、データ通信を行う第１通信部と、画像を表示する表示装置とを有する撮像装置と、撮像装置から画像を受信する第２通信部と、第２通信部の受信した画像を記憶する第２記憶部と、第２記憶部の受信した画像を撮像装置の表示装置の表示サイズに適合したサイズの画像である表示用画像に変換する変換部と、を備え、第２制御部は表示用画像を撮像装置に送信するよう第２通信部を制御し、第１通信部は表示用画像を受信し、第１制御部は第１通信部が表示用画像を受信した場合、送信した画像を消去しかつ受信した表示用画像を記憶するよう第１記憶部を制御する。
【０００５】
この発明によると、撮像装置から受信した画像を表示用画像に変換して撮像装置に送り返し、撮像装置は表示用画像を記憶しかつ画像を削除する。撮像装置ではデータ量の大きな画像を記憶しておく必要がないため記憶媒体の容量を節約でき、かつ表示装置の表示サイズに適合したサイズの表示用画像を記憶しているため、サムネイル画像よりも詳細な内容を素早く閲覧させることが可能である。
【０００６】
画像記憶システムは、撮像装置を認証する認証部をさらに備え、第１制御部は認証部により認証された場合、画像を第２通信部に送信するようにしてもよい。
【０００７】
こうすることで、特定の撮像装置で撮影された画像に限って第２記憶部にバックアップした上、この画像を撮像装置から消去することができる。
【０００８】
第２制御部は第２記憶部に記憶された画像を特定する画像特定情報を第１通信部に送信するよう第２通信部を制御し、第１通信部は画像特定情報を受信し、第１制御部は表示用画像と表示用画像の変換元となった画像の画像特定情報とを対応づけて記憶するよう第１記憶部を制御するようにしてもよい。
【０００９】
こうすれば、撮像装置において、表示用画像の変換元となった画像を特定することができる。
【００１０】
画像記憶システムは画像をプリントするプリント部をさらに備え、撮像装置は所望の画像のプリント注文を表示用画像の指定により受け付けるプリント注文部をさらに有し、第１制御部は指定された表示用画像に対応する画像特定情報をプリント部に送信するよう第１通信部を制御し、プリント部は画像特定情報を受信し、受信した画像特定情報で特定される画像であるプリント用画像を送信させる依頼を第２通信部に送信し、第２制御部は第２通信部が依頼を受信したことに応じてプリント用画像をプリント部に送信するよう第２通信部を制御し、プリント部はプリント用画像を受信してプリントするようにしてもよい。
【００１１】
こうすれば、撮像装置において、表示用画像の指定によりプリント注文を簡単に行える。
【００１２】
また、上述の課題を解決するため、本願発明に係る画像記憶システムは、画像を撮影する撮像部と、画像を表示する表示装置と、画像を表示装置の表示サイズに適合したサイズの画像である表示用画像に変換する変換部と、画像を記憶する第１記憶部と、画像を送信する第１通信部と、画像の記憶、消去及び通信を制御する制御部とを有する撮像装置と、撮像装置から画像を受信する第２通信部と、受信した画像を記憶する第２記憶部と、を備え、第１制御部は表示用画像を記憶しかつ送信した画像を消去するよう第１記憶部を制御する。
【００１３】
この発明によると、撮像装置は撮影した画像を第２通信部に送信するとともに表示用画像に変換し、表示用画像を記憶しかつ画像を削除する。送信された画像は第２記憶部に記憶される。撮像装置ではデータ量の大きな画像を記憶しておく必要がないため記憶媒体の容量を節約でき、かつ表示装置の表示サイズに適合したサイズの表示用画像を記憶しているため、サムネイル画像よりも詳細な内容を閲覧させることが可能である。
【００１４】
画像記憶システムは撮像装置を認証する認証部をさらに備え、第１制御部は認証部により認証された場合、画像を第２通信部に送信するよう第１通信部を制御するようにしてもよい。
【００１５】
第２制御部は第２記憶部に記憶された画像を特定する画像特定情報を第１通信部に送信するよう第２通信部を制御し、第１通信部は画像特定情報を受信し、第１制御部は表示用画像と表示用画像の変換元となった画像の画像特定情報とを対応づけて記憶するよう第１記憶部を制御するようにしてもよい。
【００１６】
画像記憶システムは画像をプリントするプリント部をさらに備え、撮像装置は所望の画像のプリント注文を表示用画像の指定により受け付けるプリント注文部をさらに有し、第１制御部は指定された表示用画像に対応する画像特定情報をプリント部に送信するよう第１通信部を制御し、プリント部は画像特定情報を受信し、受信した画像特定情報で特定される画像であるプリント用画像を送信させる依頼を第２通信部に送信し、第２制御部は第２通信部が依頼を受信したことに応じてプリント用画像をプリント部に送信するよう第２通信部を制御し、プリント部はプリント用画像を受信してプリントするようにしてもよい。
【００１７】
本願発明に係る画像記憶方法は、撮像装置から受信した画像を記憶するステップと、画像を撮像装置の表示装置の表示サイズに適合したサイズの画像である表示用画像に変換するステップと、画像を撮像装置から消去させかつ表示用画像を撮像装置に記憶させるステップと、を含む。これらのステップをコンピュータに実行させるためのプログラムも本願発明に含まれる。
【発明の効果】
【００１８】
この発明によると、撮像装置から受信した画像を表示用画像に変換して撮像装置に送り返し、撮像装置は表示用画像を記憶しかつ画像を削除する。撮像装置ではデータ量の大きな画像を記憶しておく必要がないため記憶媒体の容量を節約でき、かつ表示装置の表示サイズに適合したサイズの表示用画像を記憶しているため、サムネイル画像よりも詳細な内容を素早く閲覧させることが可能である。
【００１９】
またこの発明によると、撮像装置は撮影した画像を送信するとともに表示用画像に変換し、表示用画像を記憶しかつ画像を削除する。送信された画像は第２記憶部に記憶される。撮像装置ではデータ量の大きな画像を記憶しておく必要がないため記憶媒体の容量を節約でき、かつ表示装置の表示サイズに適合したサイズの表示用画像を記憶しているため、サムネイル画像よりも詳細な内容を閲覧させることが可能である。
【発明を実施するための最良の形態】
【００２０】
以下、添付した図面を参照し本発明の好ましい実施の形態を説明する。
【００２１】
＜第１実施形態＞
［概略構成］
図１は本発明の好ましい第１の実施形態に係る画像記憶システムの概略構成を示す。このシステムはパソコン１００とデジタルカメラ２００とを備えている。パソコン１００とデジタルカメラ２００とは、ＵＳＢ（Universal Serial Bus）、ＬＡＮ、インターネット、移動体通信網などの各種通信手段により接続されており、互いに所望のデータを送受信できる。画像記憶システムはプリントサーバ３００をさらに備え、デジタルカメラ２００からインターネットなどのネットワークで接続されたプリントサーバ３００にプリント注文を行えるようにしてもよい。プリントサーバ３００はＤＰ受付店（ラボ店）等に設置される。
【００２２】
図２はデジタルカメラ２００の機能ブロック図である。同図において、中央処理装置（ＣＰＵ）１１２は、シャッタボタン１０２、モード切替えレバー１０６等の各種のボタンや、十字キー、メニュー／実行ボタン、キャンセル／戻るボタン、表示ボタン、シフトボタン、表示切換ボタン、拡大表示ボタン、並びにＡＥロックの指示を入力するＡＥ固定ボタン等からなる操作部１５７からの入力に基づいてデジタルカメラ２００内の各回路を統括制御する。
【００２３】
カメラ２００は、インターネットなどのネットワークあるいはＵＳＢポートなどの各種通信手段と有線又は無線接続し、画像やプログラムなどの各種データの送受信を行う通信部１５６を備えている。
【００２４】
いま、モード切替えレバー１０６によって撮影モードが設定されると、ＣＰＵ１１２は、動画（スルー画）を画像表示装置１１０に表示させ、撮影画角を確認可能にする。即ち、絞り１１６及び撮影レンズ１１８を通過した被写体光は、撮像素子（ＣＣＤ）１２０の受光面上に結像する。ＣＣＤ１２０は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００２５】
ＣＣＤ１２０から出力された信号はアナログ処理部（ＣＤＳ／ＡＭＰ）１２２に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００２６】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００２７】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００２８】
撮影画像を画像表示装置１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して画像表示装置１１０に出力する。
【００２９】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が画像表示装置１１０に供給されることにより、撮像中の映像がリアルタイムに画像表示装置１１０に表示される。ユーザは、画像表示装置１１０に表示される映像（スルー）によって撮影画角を確認できる。
【００３０】
ここで、シャッタボタン１０２が半押しされると、ＡＥ及びＡＦ処理が開始される。即ち、ＣＣＤ１２０から出力された画像信号はＡ／Ｄ変換後に画像入力コントローラ１２６を介してＡＦ検出回路１３６並びにＡＥ／ＡＷＢ検出回路１３８に入力される。
【００３１】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２０の電子シャッタを制御するとともに、モータドライバ１４０を介して絞り１１６を制御して適正な露光量を得る。
【００３２】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００３３】
また、ＡＦ制御は、例えば画像信号のＧ信号の高周波成分が極大になるように撮影レンズ１１８を移動させるコントラストＡＦが適用される。即ち、ＡＦ検出回路１３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００３４】
ＡＦ検出回路１３６で求めた積算値のデータはＣＰＵ１１２に通知される。ＣＰＵ１１２は、モータドライバ１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１１８を移動させるようにモータドライバ１４２を制御する。尚、ＡＦ評価値の演算はＧ信号を利用する態様に限らず、輝度信号（Ｙ信号）を利用してもよい。
【００３５】
上記ＡＥ／ＡＦ処理が行われ、シャッタボタン１０２が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００３６】
メモリ１２８に格納されたＹ／Ｃ信号は、圧縮伸長処理回路１４４によって所定のフォーマットに従って圧縮された後、メディアコントローラ１４６を介して記憶媒体４０にExif（Exchangeable Image File Format）ファイルとして記録される。画像はExifファイルのデータ部分に記録される。カメラ２００にはパノラマスイッチ１０３が設けられており、シャッタボタン１０２の全押し待機中に通常撮影モードとパノラマ撮影モードとを切り替えて撮影を行なうことができる。パノラマ撮影モードがオンのときにシャッタボタン１０２が全押しされると、フルサイズの撮影画面の上下の所定部分を遮光してパノラマサイズにして画像を記録する。
【００３７】
モード切替えレバー１０６により再生モードが選択されると、記憶媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これを画像表示装置１１０に出力する。これにより、画像表示装置１１０には記憶媒体４０に記録されている最終コマのコマ画像が表示される。
【００３８】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記憶媒体４０から読み出され、上記と同様にしてコマ画像が画像表示装置１１０に再生される。尚、最終コマのコマ画像が表示されている状態で順方向にコマ送りされると、記憶媒体４０に記録されている１コマ目の画像ファイルが読み出され、１コマ目のコマ画像が画像表示装置１１０に再生される。
【００３９】
なお、カメラ２００は、いわゆるカメラ付き携帯電話機の内蔵カメラとして携帯電話機に内蔵されたものであってもよい。
【００４０】
図３はパソコン１００のハードウェア構成例を示すブロック図である。図３に示すようにパソコン１００は、主として各構成要素の動作を制御する中央処理装置（ＣＰＵ）１０と、装置の制御プログラムが格納されたり、プログラム実行時の作業領域となる主メモリ１２と、パソコン１００のオペレーティングシステム（ＯＳ）、パソコン１００に接続された周辺機器のデバイスドライバ、本発明に係る画像記憶処理やプリント注文処理のプログラムを含む各種のアプリケーションソフト、ユーザの画像等が格納されるハードディスク装置１４と、ＤＶＤ−Ｒ／ＲＷ装置１６と、表示用データを一時記憶する表示メモリ１８と、この表示メモリ１８からの画像データ、文字データ等により画像や文字等を表示するＣＲＴモニタや液晶モニタ等のモニタ装置２０と、キーボード２２と、位置入力装置としてのマウス２４と、マウス２４の状態を検出してモニタ装置２０上のマウスポインタの位置やマウス２４の状態等の信号をＣＰＵ１０に出力するマウスコントローラ２６と、デジタルカメラ２００やプリントサーバ３００と接続して画像データ等の入出力が可能なＵＳＢ（Ｕｎｉｖｅｒｓａｌ  Ｓｅｒｉａｌ  Ｂｕｓ）などのインターフェース２７と、上記各構成要素を接続するバス２８とから構成されている。
【００４１】
ハードディスク装置１４には、デジタルカメラ２００の固有情報（ＩＤ）およびデジタルカメラ２００の通信部１５６との通信を確立させるための必要な認証情報が記憶されている。デジタルカメラ２００の固有情報とは、デジタルカメラ２００のシリアル番号、デジタルカメラ２００購入時に登録されたユーザ情報（住所、氏名など）などである。
【００４２】
尚、上記構成のパソコン１００は、ハードディスク装置１４に格納されている、本発明に係るアプリケーションソフトを除いて周知のものであるため、各構成要素の詳細な説明については省略する。このアプリケーションソフトは、該アプリケーションソフトが記録されたＣＤ−ＲＯＭをパソコン１００のＤＶＤ−Ｒ／ＲＷ装置１６にセットすることにより、パソコン１００にインストールすることができる。このＤＶＤ−Ｒ／ＲＷ装置１６は、ＣＤ−Ｒ／ＲＷの機能も有している。
【００４３】
［処理の流れ］
次に、画像記憶システムの実行する処理を説明する。画像記憶システムは、画像記憶処理及びプリント注文処理を実行する。
【００４４】
（画像記憶処理）
以下、図４のフローチャートに従い、画像記憶処理の流れを説明する。
【００４５】
Ｓ１では、デジタルカメラ２００のＣＰＵ１１２（以下ＣＰＵ１１２は省略し単にデジタルカメラ２００で表す）は、デジタルカメラ２００の固有情報（ＩＤ）を通信部１５６を介してパソコン１００に送信する。なお、ＩＤはデジタルカメラ２００のＲＯＭ１３７に記憶されている。
【００４６】
Ｓ２では、パソコン１００のＣＰＵ１０（以下ＣＰＵ１０は省略し単にパソコン１００で表す）は、受信したＩＤとハードディスク装置１４の認証情報とが合致するか否かを判断する。ＣＰＵ１０は、受信したＩＤと認証情報とが合致した場合、デジタルカメラ２００からの画像送信を許可する通知をＩ／Ｆ２７を介してデジタルカメラ２００に送信する。
【００４７】
Ｓ３では、デジタルカメラ２００は、画像送信を許可する通知を通信部１５６を介して受信すると、記憶媒体４０に記憶された画像をパソコン１００に送信する。なお、Ｓ２の認証処理を省略してもよく、この場合、パソコン１００は接続された不特定のデジタルカメラ２００から画像の送信を受け付ける。換言すると、Ｓ２の認証処理を行うことで、特定のデジタルカメラ２００から画像の送信を受け付けてバックアップすることができ、意図しないパソコン１００に画像が記憶されてしまうのを防げる。
【００４８】
Ｓ４では、パソコン１００は、Ｉ／Ｆ２７を介して画像を受信し、Ｓ５では、受信した画像をハードディスク装置１４に記憶する。これにより、デジタルカメラ２００の画像のバックアップが完了する。ハードディスク装置１４における各画像の記憶先は、ハードディスク装置１４のアドレスやＵＲＬなどの一意的な情報で特定される。以下、この一意的な情報を画像特定情報という。
【００４９】
Ｓ６では、パソコン１００は、ハードディスク装置１４に記憶された画像の画素サイズを、デジタルカメラ２００の画像表示装置１１０の表示画素サイズ（例えば６４０×４８０ピクセルのＶＧＡや７６８×１０２４ピクセルのＸＧＡ）に適合したサイズの画像である表示用画像に変換する。画素サイズ変換処理は、ハードウエアによる変換エンジンを用いてもよいし、ＣＰＵ１０の実行するソフトウエアでバイリニア処理を用いて変換処理を行ってもよい。
【００５０】
Ｓ７では、パソコン１００は、表示用画像をデジタルカメラ２００に送信する。表示用画像と表示用画像の変換元となった画像の画像特定情報とを対応づけて送信してもよい。
【００５１】
Ｓ８では、デジタルカメラ２００は表示用画像を受信し、Ｓ９では、表示用画像を記憶媒体４０に記憶する。表示用画像に対応する画像特定情報を受信した場合、表示用画像と画像特定情報とを対応づけて記憶媒体４０に記憶する。Ｓ１０では、Ｓ３で送信した画像を記憶媒体４０から削除する。
【００５２】
なお、複数の画像が記憶媒体４０に記憶されている場合、各画像について上記ステップを繰り返す。上記の各ステップを実行するプログラムは、パソコン１００のハードディスク装置１４ないしデジタルカメラ２００のＲＯＭ１３７に記憶されている。
【００５３】
以上の処理により、パソコン１００は、デジタルカメラ２００から受信した画像ハードディスク装置１４に記憶するとともに表示用画像に変換してデジタルカメラ２００に送り返し、デジタルカメラ２００は受信した表示用画像を記憶媒体４０に記憶しかつその表示画像の変換元となった画像を記憶媒体４０から削除する。デジタルカメラ２００では、データ量の大きな画像を記憶しておく必要がないため記憶媒体４０の容量を節約できる。また、画像表示装置１１０の表示サイズに適合したサイズの表示用画像を記憶媒体４０に記憶しているため、サムネイル画像よりも詳細な内容を閲覧させることができ、かつ画像そのものを表示の度にいちいちサイズ変更して表示するよりも素早く表示させることが可能であり、特にコマ送りの際に便利である。
【００５４】
（プリント注文処理）
以下、図５のフローチャートに従い、プリント注文処理の流れを説明する。
【００５５】
Ｓ１１では、デジタルカメラ２００は、操作部１５７から所望の画像のプリント注文を、その画像から変換した表示用画像の指定により受け付ける。Ｓ１２では、通信部１５６により、指定された表示用画像に対応する画像特定情報をプリント注文指示としてプリントサーバ３００に送信する。
【００５６】
Ｓ１３では、プリントサーバ３００は画像特定情報を受信すると、その画像特定情報で特定される画像を送信するようパソコン１００に依頼する。Ｓ１４では、パソコン１００が上記依頼を受信し、Ｓ１５では、その画像特定情報で特定される画像をハードディスク装置１４から抽出し、プリントサーバ３００に送信する。
【００５７】
Ｓ１６では、プリントサーバ３００は画像を受信し、Ｓ１７では、受信した画像に基づいて図示しないプリンタにプリントを行わせる。
【００５８】
以上の処理により、デジタルカメラ２００からプリントサーバ３００にデータ量の大きい画像を直接送信することなく、表示用画像の指定だけで簡単に素早くプリント注文を行うことができる。
【００５９】
なお、複数の画像をプリント注文する場合、各画像について上記ステップを繰り返す。上記の各ステップを実行するプログラムは、パソコン１００のハードディスク装置１４、デジタルカメラ２００のＲＯＭ１３７ないしプリントサーバ３００に記憶されている。
【００６０】
＜第２実施形態＞
第１実施形態では、デジタルカメラ２００からパソコン１００に画像を送信し、パソコンで表示画像を変換したが、デジタルカメラ２００で画像を表示画像に変換することもできる。即ち、第１実施形態（図１ないし図３を参照）と同様の構成を有する画像記憶システムにおいて実行する画像記憶処理の流れを、以下のように改変することも可能である。
【００６１】
図６は第２実施形態に係る画像記憶処理の流れを示すフローチャートである。
【００６２】
Ｓ１０１では、デジタルカメラ２００は、記憶媒体４０に記憶された画像の画素サイズを、画像表示装置１１０の表示画素サイズに適合したサイズの画像である表示用画像に変換し、記憶媒体４０に記憶する。画素サイズ変換処理は、ハードウエアによる変換エンジンを用いてもよいし、ＣＰＵ１１２の実行するソフトウエアでバイリニア処理を用いて変換処理を行ってもよい。
【００６３】
Ｓ１０２では、デジタルカメラ２００は、デジタルカメラ２００の固有情報（ＩＤ）を通信部１５６を介してパソコン１００に送信する。ＩＤはデジタルカメラ２００のＲＯＭ１３７に記憶されている。
【００６４】
Ｓ１０３では、パソコン１００は、受信したＩＤとハードディスク装置１４の認証情報とが合致するか否かを判断する。ＣＰＵ１０は、受信したＩＤと認証情報とが合致した場合、デジタルカメラ２００からの画像送信を許可する通知をＩ／Ｆ２７を介してデジタルカメラ２００に送信する。
【００６５】
Ｓ１０４では、デジタルカメラ２００は、画像送信を許可する通知を通信部１５６を介して受信すると、記憶媒体４０に記憶された画像をパソコン１００に送信する。なお、第１実施形態と同様Ｓ２の認証処理を省略してもよく、この場合、パソコン１００は接続された不特定のデジタルカメラ２００から画像の送信を受け付ける。
【００６６】
Ｓ１０５では、パソコン１００は、Ｉ／Ｆ２７を介して画像を受信し、Ｓ１０６では、受信した画像をハードディスク装置１４に記憶する。これにより、デジタルカメラ２００の画像のバックアップが完了する。ハードディスク装置１４における各画像の記憶先は、画像特定情報で特定される。
【００６７】
Ｓ１０７では、パソコン１００は、画像特定情報をデジタルカメラ２００に送信する。
【００６８】
Ｓ１０８では、デジタルカメラ２００は画像特定情報を受信し、画像特定情報を表示用画像と対応づけて記憶媒体４０に記憶する。Ｓ１０９では、Ｓ１０４で送信した画像を記憶媒体４０から削除する。
【００６９】
以上の処理により、デジタルカメラ２００は撮影した画像をパソコン１００に送信するとともに表示用画像に変換し、表示用画像を記憶媒体４０に記憶しかつ画像を記憶媒体４０から削除する。パソコン１００は受信した画像をハードディスク装置１４にバックアップする。デジタルカメラ２００データ量の大きな画像を記憶しておく必要がないため記憶媒体４０の容量を節約でき、かつ画像表示装置１１０の表示サイズに適合したサイズの表示用画像を記憶しているため、サムネイル画像よりも詳細な内容を閲覧させることができ、かつ画像そのものを表示の度にいちいちサイズ変更して表示するよりも素早く表示させることが可能であり、特にコマ送りの際に便利である。
【００７０】
なお、本実施形態においても、第１実施形態と同様のプリント注文処理を実行することが可能である。
【図面の簡単な説明】
【００７１】
【図１】画像記憶システムの概略構成図
【図２】デジタルカメラのブロック図
【図３】パソコンのブロック図
【図４】第１実施形態に係る画像記憶処理の流れを示すフローチャート
【図５】プリント注文処理の流れを示すフローチャート
【図６】第２実施形態に係る画像記憶処理の流れを示すフローチャート
【符号の説明】
【００７２】
１００：パソコン、２００：デジタルカメラ、３００：プリントサーバ
【図１】
2006157517.tif 000003
【図２】
2006157517.tif 000004
【図３】
2006157517.tif 000005
【図４】
2006157517.tif 000006
【図５】
2006157517.tif 000007
【図６】
2006157517.tif 000008